【事件の表示】
　特許第２８８３６１２号「カード式弾球遊技機」の請求項１ないし５に係る発明の特許に対する特許異議の申立てについて、次のとおり決定する。
【結　論】
　訂正を認める。
　特許第２８８３６１２号の請求項１ないし４に係る特許を維持する。
【理　由】
１．手続の経緯
  本件特許第２８８３６１２号の請求項１ないし５に係る発明は、平成１０年４月１４日に特許出願され、平成１１年２月５日に設定登録された。その後、平成１１年１０月１９日に林稔久及び町田彬より特許異議の申立てがあり、これを受けて平成１２年４月７日付け取消理由通知がなされ、平成１２年６月１６日付け訂正請求がなされた。
２．訂正の内容とその適否について
（１）訂正の内容
イ．特許請求の範囲の訂正
「【請求項１】遊技球の払い出しを行う払い出し手段(32)と、この払い出し手段(32)により払い出された遊技球を検出する検出スイッチ(43)(44)と、遊技盤(10)側の遊技動作の制御を行う遊技制御機能と、外部の球貸し装置(4) からの球貸し指令によって払い出し手段(32)により遊技球を貸し出す球貸し制御機能と、遊技盤(10)での入賞による賞球払い出し指令によって払い出し手段(32)により遊技球を払い出す賞球払い出し制御機能とを備え、球貸し制御機能により貸し出された遊技球を検出する検出スイッチ(43)の信号系と、賞球払い出し制御機能により払い出された遊技球を検出する検出スイッチ(44)の信号系とを別々の制御基板(29)(46)に接続したことを特徴とするカード式弾球遊技機。
【請求項２】球貸し制御機能により貸し出された遊技球を検出する貸し球検出スイッチ(43)と、賞球払い出し制御機能により払い出された遊技球を検出する賞球検出スイッチ(44)とを別々に設け、貸し球検出スイッチ(43)を賞球払い出し制御機能用の払い出し制御基板(46)に接続し、賞球検出スイッチ(44)を遊技制御機能用の遊技制御基板(29)に接続したことを特徴とする請求項１に記載のカード式弾球遊技機。
【請求項３】貸し球検出スイッチ(43)からの信号により貸し球個数を計数して貸し球個数の異常検出を行い、貸し球個数の異常時に払い出し手段(32)に追加の払い出し動作をさせる球貸し制御手段(51)と、賞球検出スイッチ(44)からの信号により賞球個数を計数して賞球個数の異常検出を行い、賞球個数の異常時に払い出し手段(32)に追加の払い出し動作をさせる賞球払い出し制御手段(52)とを別々に設けたことを特徴とする請求項１又は２に記載のカード式弾球遊技機。
【請求項４】払い出し手段(32)の下流側に貸し球通路(63)と賞球通路(64)とを設け、払い出し手段(32)からの遊技球を貸し球通路(63)と賞球通路(64)とに切り換える切り換え手段(65)を設け、貸し球通路(63)に貸し球検出スイッチ(43)を、賞球通路(64)に賞球検出スイッチ(44)を夫々設けたことを特徴とする請求項１〜３の何れかに記載のカード式弾球遊技機。
【請求項５】払い出し手段(32)の下流側に貸し球通路(63)と賞球通路(64)とを設け、貸し球通路(63)に貸し球検出スイッチ(43)を、賞球通路(64)に賞球検出スイッチ(44)を夫々設け、球貸し時に貸し球通路(63)へ、賞球時に賞球通路(64)へ夫々遊技球を払い出すように払い出し手段(32)を正逆転可能に構成したことを特徴とする請求項１〜３の何れかに記載のカード式弾球遊技機。」を、
「【請求項１】遊技球の払い出しを行う払い出し手段(32)と、この払い出し手段(32)により払い出された遊技球を検出する検出スイッチ(43)(44)と、遊技盤(10)側の遊技動作の制御を行う遊技制御機能と、外部の球貸し装置(4) からの球貸し指令によって払い出し手段(32)により遊技球を貸し出す球貸し制御機能と、遊技盤(10)での入賞による賞球払い出し指令によって払い出し手段(32)により遊技球を払い出す賞球払い出し制御機能とを備え、球貸し制御機能により貸し出された遊技球を検出する検出スイッチ(43)の信号系と、賞球払い出し制御機能により払い出された遊技球を検出する検出スイッチ(44)の信号系とを別々の制御基板(29)(46)に接続し、貸し球検出スイッチ(43)からの信号により貸し球個数を計数して貸し球個数の異常検出を行い、貸し球個数の異常時に払い出し手段(32)に追加の払い出し動作をさせる球貸し制御手段(51)と、賞球検出スイッチ(44)からの信号により賞球個数を計数して賞球個数の異常検出を行い、賞球個数の異常時に払い出し手段(32)に追加の払い出し動作をさせる賞球払い出し制御手段(52)とを別々に設けたことを特徴とするカード式弾球遊技機。
【請求項２】球貸し制御機能により貸し出された遊技球を検出する貸し球検出スイッチ(43)と、賞球払い出し制御機能により払い出された遊技球を検出する賞球検出スイッチ(44)とを別々に設け、貸し球検出スイッチ(43)を賞球払い出し制御機能用の払い出し制御基板(46)に接続し、賞球検出スイッチ(44)を遊技制御機能用の遊技制御基板(29)に接続したことを特徴とする請求項１に記載のカード式弾球遊技機。
【請求項３】払い出し手段(32)の下流側に貸し球通路(63)と賞球通路(64)とを設け、払い出し手段(32)からの遊技球を貸し球通路(63)と賞球通路(64)とに切り換える切り換え手段(65)を設け、貸し球通路(63)に貸し球検出スイッチ(43)を、賞球通路(64)に賞球検出スイッチ(44)を夫々設けたことを特徴とする請求項１又は２に記載のカード式弾球遊技機。
【請求項４】払い出し手段(32)の下流側に貸し球通路(63)と賞球通路(64)とを設け、貸し球通路(63)に貸し球検出スイッチ(43)を、賞球通路(64)に賞球検出スイッチ(44)を夫々設け、球貸し時に貸し球通路(63)へ、賞球時に賞球通路(64)へ夫々遊技球を払い出すように払い出し手段(32)を正逆転可能に構成したことを特徴とする請求項１又は２に記載のカード式弾球遊技機。」と訂正する。
ロ．発明の詳細な説明の欄の訂正
「【０００６】
【課題を解決するための手段】
　本発明は、遊技球の払い出しを行う払い出し手段32と、この払い出し手段32により払い出された遊技球を検出する検出スイッチ43,44 と、遊技盤10側の遊技動作の制御を行う遊技制御機能と、外部の球貸し装置4 からの球貸し指令によって払い出し手段32により遊技球を貸し出す球貸し制御機能と、遊技盤10での入賞による賞球払い出し指令によって払い出し手段32により遊技球を払い出す賞球払い出し制御機能とを備え、球貸し制御機能により貸し出された遊技球を検出する検出スイッチ43の信号系と、賞球払い出し制御機能により払い出された遊技球を検出する検出スイッチ44の信号系とを別々の制御基板29,46 に接続している。」を、
「【０００６】
【課題を解決するための手段】
　本発明は、遊技球の払い出しを行う払い出し手段32と、この払い出し手段32により払い出された遊技球を検出する検出スイッチ43,44 と、遊技盤10側の遊技動作の制御を行う遊技制御機能と、外部の球貸し装置4 からの球貸し指令によって払い出し手段32により遊技球を貸し出す球貸し制御機能と、遊技盤10での入賞による賞球払い出し指令によって払い出し手段32により遊技球を払い出す賞球払い出し制御機能とを備え、球貸し制御機能により貸し出された遊技球を検出する検出スイッチ43の信号系と、賞球払い出し制御機能により払い出された遊技球を検出する検出スイッチ44の信号系とを別々の制御基板29,46 に接続し、貸し球検出スイッチ(43)からの信号により貸し球個数を計数して貸し球個数の異常検出を行い、貸し球個数の異常時に払い出し手段(32)に追加の払い出し動作をさせる球貸し制御手段(51)と、賞球検出スイッチ(44)からの信号により賞球個数を計数して賞球個数の異常検出を行い、賞球個数の異常時に払い出し手段(32)に追加の払い出し動作をさせる賞球払い出し制御手段(52)とを別々に設けている。」と訂正する。
（２）訂正の目的の適否及び拡張・変更の存否
　上記特許請求の範囲の訂正内容は、特許明細書及び図面に記載された事項の範囲内であり、かつ特許請求の範囲の減縮に該当し、実質的に特許請求の範囲を拡張・変更するものではない。
　また、同時になされた発明の詳細な説明の欄の訂正内容は、特許明細書及び図面に記載された事項の範囲内であって、上記特許請求の範囲の訂正内容との整合性を図るべく明瞭でない記載の釈明を目的とし、実質上特許請求の範囲を拡張・変更するものではない。
（３）独立特許要件の判断
（３−１）訂正明細書の発明
  訂正明細書の請求項１ないし４に係る発明（以下、第１発明ないし４という）は、訂正明細書の特許請求の範囲の請求項１ないし４に記載された事項により特定されるものである（前記、２．（１）訂正の内容参照）。
（３−２）先願発明
　本件第１ないし第４発明に対し、当審が先の取消理由通知書にて示した本件特許の出願日前の出願であって、その後出願公開された特願平１０−２４９６８号（特開平１１−２２１３２０号公報参照）の願書に最初に添付した明細書及び図面には以下の事項（以下、先願発明という）が記載されている。
「【００４２】景品玉通路８６ａ、８６ｂを流下する景品玉は、下流側の玉払出装置９７に供給される。・・・そして、この玉払出装置９７によって払出される玉は、入賞に基づく景品玉だけでなく、遊技者に貸し出す貸玉（遊技玉）も玉払出装置９７によって払出されるようになっている。」
「【００４７】・・・さらに、払出された玉を玉払出検出器２４０a、２４０bで検出するので、正確に入賞に対応する景品玉を払出すことができる。」
「【００４８】玉払出装置９７の玉の払出側の玉の流路は、景品玉払出用の流路２０１ａと、貸玉払出用の流路２０１ｂとに分岐して構成されている。流路２０１ａ内には流路２０１ａに導かれた玉である景品玉を検出する賞球個数スイッチ２５６が設けられている。・・つまり、流路２０１ａと、流路２０１ｂとは選択的に通流可能にされる。これらの分岐点には、玉払出装置９７から落下してくる玉の流路を、流路２０１ａと貸玉払出用の流路２０１ｂとの間で切換える流路切換部材２５４が設けられている。」
「【００６２】また、同様にカードユニット５０からの遊技玉の玉貸要求信号があったときにも上記と同様の動作により所定個数（２５個／１００円）の遊技玉を玉払出装置９７によって払出す。・・前記基板ボックス１４９に収納される払出制御回路基板１５２は、遊技制御基板１９９から与えられる賞球個数信号を受けて玉払出装置９７のステッピングモータ１８９に駆動開始信号を出力し、玉払出装置９７内に設けられる計数検出手段からの信号を係数してその計数値が予め定められた払出景品玉数となったときにステッピングモー夕１８９に駆動停止信号を導出して景品玉の払出動作を停止させる。」
「【００６４】図５は、払出制御回路基板１５２とカードユニット５０に設けられているカードユニット制御基板２１０ａと遊技制御基板１９９とに設けられている制御回路を示すブロック図である。」
「【００７０】遊技制御基板１９９には、・・・スイッチ回路２２９・・・が設けられている。」
「【００７１】スイッチ回路２２９は、・・・賞球個数スイッチ（賞球数検出器）２５６からの検出信号、・・・を受け、・・・それらの信号は、I／Ｏポート２０６からＣＰＵ２０３へ与えられる。」
「【０１６８】前述した第１実施形態においては、景品玉払出用の流路２０１ａと、貸玉払出用の流路２０１ｂとのうちの流路２０１ａにのみ玉（景品玉）を検出する検出器（賞球個数スイッチ２５６）を設けた例を示したが、この第２実施形態においては、流路２０１ｂにも玉（貸玉）を検出する検出器を設ける例を説明する。」
「【０１６９】図２４を参照して、景品玉払出用の流路２０１ａには前述した景品玉検出用の賞球個数スイッチ２５６が設けられており、貸玉払出用の流路２０１ｂには前述したその流路２０１ｂに導かれた貸玉を検出するための貸玉個数スイッチ２５０が設けられている。」
「【０１７０】この貸玉個数スイッチ２５０は、前述した払出制御回路基板１５２に接続されている。・・・そして、払出制御用マイクロコンピュータ２２０では、貸玉個数スイッチ２５０の検出出力に基づいて、貸玉個数を監視する等、貸玉個数を管理する種々の制御が行われる。・・・さらに、この実施形態では、位置検出器によりその払出動作を制御するようにしているが、この払出動作（払出駆動源）の制御を、賞球個数スイッチと貸玉個数スイッチとで制御するようにしてもよい。」
「【０１９１】図３０は第４実施形態における払出制御回路基板１５２とカードユニット５０に設けられているカードユニット制御基板２１０ａと遊技制御基板１９９とに設けられている制御回路を示すブロック図である。」
「【０１９２】前述した賞球個数スイッチ２５６の代わりに、賞球数検出器３３６ｂが設けられている。この賞球数検出器３３６ｂは、遊技制御基板１９９のスイッチ回路２２９および払出制御回路基板１５２のスイッチ回路２１８に接続されている。さらに、玉貸数検出器３３６ａが設けられている。この玉貸数検出器３３６ａは、払出制御回路基板１５２のスイッチ回路２１８に接続されている。」
「【０１９７】・・・１軸モータ形式にした玉送出装置４３０を用いた。・・・玉送出装置４３０における玉の出口は、図中の左右に１つずつあり、左側の出口が景品玉払出用、右側の出口が貸玉用である。その１軸モータ３２の回転方向をモータ制御信号により切換え、景品玉と貸玉の払出しの別に応じて正転及び逆転させる。」
（３−３）対比判断
  そこで、本件第１発明と上記先願発明とを対比すると、本件第１発明の払い出し手段３２は先願発明の玉払出装置９７に、貸し球検出スイッチ４３は貸玉個数スイッチ２５９に、賞球検出スイッチ４４は賞球個数スイッチ２５６に、払い出し制御基板４６は払出制御回路基板１５２に、遊技制御基板２９は遊技制御基板１９９に、切り換え手段６５は流路切換部材２５４にそれぞれ相当するものであるから、両者は、「遊技球の払い出しを行う払い出し手段と、この払い出し手段により払い出された遊技球を検出する検出スイッチと、遊技盤側の遊技動作の制御を行う遊技制御機能と、外部の球貸し装置からの球貸し指令によって払い出し手段により遊技球を貸し出す球貸し制御機能と、遊技盤での入賞による賞球払い出し指令によって払い出し手段により遊技球を払い出す賞球払い出し制御機能とを備え、球貸し制御機能により貸し出された遊技球を検出する検出スイッチの信号系と、賞球払い出し制御機能により払い出された遊技球を検出する検出スイッチの信号系とを別々の制御基板に接続したカード式弾球遊技機」である点で一致するが、本件第１発明で特定する「貸し球検出スイッチからの信号により貸し球個数を計数して貸し球個数の異常検出を行い、貸し球個数の異常時に払い出し手段に追加の払い出し動作をさせる球貸し制御手段と、賞球検出スイッチからの信号により賞球個数を計数して賞球個数の異常検出を行い、賞球個数の異常時に払い出し手段に追加の払い出し動作をさせる賞球払い出し制御手段とを別々に設けた」とする構成は、先願発明にはない。
　したがって、本件第１発明が上記先願発明と同一であるとすることはできない。また、第２発明ないし第４発明は、いずれも第１発明を引用する従属発明であるから、上記先願発明と同一であるとすることはできない。
　したがって、本件第１発明ないし第４発明は、いずれも特許出願の際独立して特許を受けることができるものである。
（４）むすび
　以上のとおり、上記訂正の内容は特許法第１２０条の４第２項及び同条第３項で準用する同法第１２６条第２ないし４項の規定に適合するから、当該訂正請求を認める。
３．特許異議の申立てについての判断
（１）申立て理由の概要
  申立人林稔久は、本件特許の請求項１、２、４、５に係る発明は、本件特許の出願日前の出願であってその後出願公開された甲第１号証記載の先願発明と同一であり、特許法第２９条の２の規定に違反して特許されたものであるから、本件特許は同法第１１３条第１項第２号の規定により取り消されるべきである旨主張し、また同町田彬は、本件特許の請求項１ないし５に係る発明は、本件特許の出願日前に頒布された甲第１号証ないし甲第６号証に記載された発明から容易に発明し得たものであり、特許法第２９条第２項の規定に違反して特許されたものであるから、本件特許は同法第１１３条第１項第２号の規定により取り消されるべきである旨主張している。
（２）訂正後の本件請求項１ないし４に係る発明
　本件特許の請求項１ないし４に係る発明（以下、本件第１発明ないし第４発明という）は、訂正明細書の特許請求の範囲の請求項１ないし４に記載されたとおりのものである（前記２．（１）訂正の内容参照）。
（３）証拠及び対比・判断
（３−１）申立人林稔久が提出した甲第１号証は、当審が先の取消理由通知書にて提示した特願平１０−２４９６８号（特開平１１−２２１３２０号公報参照）の願書に最初に添付した明細書及び図面であり、上記２．（３）独立特許要件の判断にて示したように、本件第１発明ないし第４発明は上記甲第１号証記載の先願の発明と同一であるすることはできない。
（３−２）申立人町田彬が提出した甲第１号各（特開平９−２０６４５８号公報）、甲第２号証（特開平１０−３３８０８号公報）、甲第３号証（特開平７−１７８２２２号公報）、甲第４号証（特開平９−１９５６１号公報）、甲第５号証（特開平９−２８５６３３号公報）、甲第６号証（特開平９−２９４８５４号公報）には、「カード式弾球遊技機」であって、「遊技球の払い出しを行う払い出し手段」、「払い出し手段により払い出された遊技球を検出する検出スイッチ」、「遊技盤側の遊技動作の制御を行う遊技制御機能」、「外部の球貸し装置からの球貸し指令によって払い出し手段により遊技球を貸し出す球貸し制御機能」、「遊技盤での入賞による賞球払い出し指令によって払い出し手段により遊技球を払い出す賞球払い出し制御機能」とを備え、「球貸し制御機能により貸し出された遊技球を検出する検出スイッチの信号系と、賞球払い出し制御機能により払い出された遊技球を検出する検出スイッチの信号系とを別々に制御装置に接続」することがそれぞれ開示されているに止まり、本件第１発明で特定する「球貸し制御機能により貸し出された遊技球を検出する検出スイッチの信号系と、賞球払い出し制御機能により払い出された遊技球を検出する検出スイッチの信号系とを別々の制御基板に接続し、貸し球検出スイッチからの信号により貸し球個数を計数して貸し球個数の異常検出を行い、貸し球個数の異常時に払い出し手段に追加の払い出し動作をさせる球貸し制御手段と、賞球検出スイッチからの信号により賞球個数を計数して賞球個数の異常検出を行い、賞球個数の異常時に払い出し手段に追加の払い出し動作をさせる賞球払い出し制御手段とを別々に設けた」構成の記載はなく、またそれを示唆する記載もない。
　そして、本件第１発明はこの構成によって、明細書【００６０】に記載のように「球貸し制御手段及び賞球制御手段を含めて、その検査を容易にできる。」とする格別の効果を奏するものであるから、本件第１発明は、甲第１号証ないし甲第６号証記載の発明から容易になし得たものとすることはできない。また、第２発明ないし第４発明は、いずれも第１発明を引用する従属発明であるから、甲第１号証ないし甲第６号証記載の発明から、容易になし得たとすることはできない。
（４）むすび
　以上のとおり、申立人が主張する各理由及び各証拠によっては、本件発明に係る特許を取り消すことはできない。
　さらに、本件発明に係る特許を取り消すべき他の理由を発見しない。
　よって、結論のとおり決定する。
【異議決定日】
平成１２年８月１１日（２０００．８．１１）
【訂正の要旨】
訂正の要旨
１．特許請求の範囲の訂正
「【請求項１】遊技球の払い出しを行う払い出し手段（３２）と、この払い出し手段（３２）により払い出された遊技球を検出する検出スイッチ（４３）（４４）と、遊技盤（１０）側の遊技動作の制御を行う遊技制御機能と、外部の球貸し装置（４）からの球貸し指令によって払い出し手段（３２）により遊技球を貸し出す球貸し制御機能と、遊技盤（１０）での入賞による賞球払い出し指令によって払い出し手段（３２）により遊技球を払い出す賞球払い出し制御機能とを備え、球貸し制御機能により貸し出された遊技球を検出する検出スイッチ（４３）の信号系と、賞球払い出し制御機能により払い出された遊技球を検出する検出スイッチ（４４）の信号系とを別々の制御基板（２９）（４６）に接続したことを特徴とするカード式弾球遊技機。
　【請求項２】球貸し制御機能により貸し出された遊技球を検出する貸し球検出スイッチ（４３）と、賞球払い出し制御機能により払い出された遊技球を検出する賞球検出スイッチ（４４）とを別々に設け、貸し球検出スイッチ（４３）を賞球払い出し制御機能用の払い出し制御基板（４６）に接続し、賞球検出スイッチ（４４）を遊技制御機能用の遊技制御基板（２９）に接続したことを特徴とする請求項１に記載のカード式弾球遊技機。
　【請求項３】貸し球検出スイッチ（４３）からの信号により貸し球個数を計数して貸し球個数の異常検出を行い、貸し球個数の異常時に払い出し手段（３２）に追加の払い出し動作をさせる球貸し制御手段（５１）と、賞球検出スイッチ（４４）からの信号により賞球個数を計数して賞球個数の異常検出を行い、賞球個数の異常時に払い出し手段（３２）に追加の払い出し動作をさせる賞球払い出し制御手段（５２）とを別々に設けたことを特徴とする請求項１又は２に記載のカード式弾球遊技機。
　【請求項４】払い出し手段（３２）の下流側に貸し球通路（６３）と賞球通路（６４）とを設け、払い出し手段（３２）からの遊技球を貸し球通路（６３）と賞球通路（６４）とに切り換える切り換え手段（６５）を設け、貸し球通路（６３）に貸し球検出スイッチ（４３）を、賞球通路（６４）に賞球検出スイッチ（４４）を夫々設けたことを特徴とする請求項１〜３の何れかに記載のカード式弾球遊技機。
　【請求項５】払い出し手段（３２）の下流側に貸し球通路（６３）と賞球通路（６４）とを設け、貸し球通路（６３）に貸し球検出スイッチ（４３）を、賞球通路（６４）に賞球検出スイッチ（４４）を夫々設け、球貸し時に貸し球通路（６３）へ、賞球時に賞球通路（６４）へ夫々遊技球を払い出すように払い出し手段（３２）を正逆転可能に構成したことを特徴とする請求項１〜３の何れかに記載のカード式弾球遊技機。」を、
「【請求項１】遊技球の払い出しを行う払い出し手段（３２）と、この払い出し手段（３２）により払い出された遊技球を検出する検出スイッチ（４３）（４４）と、遊技盤（１０）側の遊技動作の制御を行う遊技制御機能と、外部の球貸し装置（４）からの球貸し指令によって払い出し手段（３２）により遊技球を貸し出す球貸し制御機能と、遊技盤（１０）での入賞による賞球払い出し指令によって払い出し手段（３２）により遊技球を払い出す賞球払い出し制御機能とを備え、球貸し制御機能により貸し出された遊技球を検出する検出スイッチ（４３）の信号系と、賞球払い出し制御機能により払い出された遊技球を検出する検出スイッチ（４４）の信号系とを別々の制御基板（２９）（４６）に接続し、貸し球検出スイッチ（４３）からの信号により貸し球個数を計数して貸し球個数の異常検出を行い、貸し球個数の異常時に払い出し手段（３２）に追加の払い出し動作をさせる球貸し制御手段（５１）と、賞球検出スイッチ（４４）からの信号により賞球個数を計数して賞球個数の異常検出を行い、賞球個数の異常時に払い出し手段（３２）に追加の払い出し動作をさせる賞球払い出し制御手段（５２）とを別々に設けたことを特徴とするカード式弾球遊技機。
　【請求項２】球貸し制御機能により貸し出された遊技球を検出する貸し球検出スイッチ（４３）と、賞球払い出し制御機能により払い出された遊技球を検出する賞球検出スイッチ（４４）とを別々に設け、貸し球検出スイッチ（４３）を賞球払い出し制御機能用の払い出し制御基板（４６）に接続し、賞球検出スイッチ（４４）を遊技制御機能用の遊技制御基板（２９）に接続したことを特徴とする請求項１に記載のカード式弾球遊技機。
　【請求項３】払い出し手段（３２）の下流側に貸し球通路（６３）と賞球通路（６４）とを設け、払い出し手段（３２）からの遊技球を貸し球通路（６３）と賞球通路（６４）とに切り換える切り換え手段（６５）を設け、貸し球通路（６３）に貸し球検出スイッチ（４３）を、賞球通路（６４）に賞球検出スイッチ（４４）を夫々設けたことを特徴とする請求項１又は２に記載のカード式弾球遊技機。
　【請求項４】払い出し手段（３２）の下流側に貸し球通路（６３）と賞球通路（６４）とを設け、貸し球通路（６３）に貸し球検出スイッチ（４３）を、賞球通路（６４）に賞球検出スイッチ（４４）を夫々設け、球貸し時に貸し球通路（６３）へ、賞球時に賞球通路（６４）へ夫々遊技球を払い出すように払い出し手段（３２）を正逆転可能に構成したことを特徴とする請求項１又は２に記載のカード式弾球遊技機。」と訂正する。
２．発明の詳細な説明の欄の訂正
「【０００６】
　【課題を解決するための手段】
　本発明は、遊技球の払い出しを行う払い出し手段３２と、この払い出し手段３２により払い出された遊技球を検出する検出スイッチ４３，４４と、遊技盤１０側の遊技動作の制御を行う遊技制御機能と、外部の球貸し装置４からの球貸し指令によって払い出し手段３２により遊技球を貸し出す球貸し制御機能と、遊技盤１０での入賞による賞球払い出し指令によって払い出し手段３２により遊技球を払い出す賞球払い出し制御機能とを備え、球貸し制御機能により貸し出された遊技球を検出する検出スイッチ４３の信号系と、賞球払い出し制御機能により払い出された遊技球を検出する検出スイッチ４４の信号系とを別々の制御基板２９，４６に接続している。」を、
「【０００６】
　【課題を解決するための手段】
　本発明は、遊技球の払い出しを行う払い出し手段３２と、この払い出し手段３２により払い出された遊技球を検出する検出スイッチ４３，４４と、遊技盤１０側の遊技動作の制御を行う遊技制御機能と、外部の球貸し装置４からの球貸し指令によって払い出し手段３２により遊技球を貸し出す球貸し制御機能と、遊技盤１０での入賞による賞球払い出し指令によって払い出し手段３２により遊技球を払い出す賞球払い出し制御機能とを備え、球貸し制御機能により貸し出された遊技球を検出する検出スイッチ４３の信号系と、賞球払い出し制御機能により払い出された遊技球を検出する検出スイッチ４４の信号系とを別々の制御基板２９，４６に接続し、貸し球検出スイッチ（４３）からの信号により貸し球個数を計数して貸し球個数の異常検出を行い、貸し球個数の異常時に払い出し手段（３２）に追加の払い出し動作をさせる球貸し制御手段（５１）と、賞球検出スイッチ（４４）からの信号により賞球個数を計数して賞球個数の異常検出を行い、賞球個数の異常時に払い出し手段（３２）に追加の払い出し動作をさせる賞球払い出し制御手段（５２）とを別々に設けている。」と訂正する。
（５４）【発明の名称】
カード式弾球遊技機
（５７）【特許請求の範囲】
　【請求項１】　遊技球の払い出しを行う払い出し手段（３２）と、この払い出し手段（３２）により払い出された遊技球を検出する検出スイッチ（４３）（４４）と、遊技盤（１０）側の遊技動作の制御を行う遊技制御機能と、外部の球貸し装置（４）からの球貸し指令によって払い出し手段（３２）により遊技球を貸し出す球貸し制御機能と、遊技盤（１０）での入賞による賞球払い出し指令によって払い出し手段（３２）により遊技球を払い出す賞球払い出し制御機能とを備え、球貸し制御機能により貸し出された遊技球を検出する検出スイッチ（４３）の信号系と、賞球払い出し制御機能により払い出された遊技球を検出する検出スイッチ（４４）の信号系とを別々の制御基板（２９）（４６）に
接続し、貸し球検出スイッチ（４３）からの信号により貸し球個数を計数して貸し球個数の異常検出を行い、貸し球個数の異常時に払い出し手段（３２）に追加の払い出し動作をさせる球貸し制御手段（５１）と、賞球検出スイッチ（４４）からの信号により賞球個数を計数して賞球個数の異常検出を行い、賞球個数の異常時に払い出し手段（３２）に追加の払い出し動作をさせる賞球払い出し制御手段（５２）とを別々に設け
　【請求項２】　球貸し制御機能により貸し出された遊技球を検出する貸し球検出スイッチ（４３）と、賞球払い出し制御機能により払い出された遊技球を検出する賞球検出スイッチ（４４）とを別々に設け、貸し球検出スイッチ（４３）を賞球払い出し制御機能用の払い出し制御基板（４６）に接続し、賞球検出スイッチ（４４）を遊技制御機能用の遊技制御基板（２９）に接続したことを特徴とする請求項１に記載のカード式弾球遊技機。
　【請求項３】　
払い出し手段（３２）の下流側に貸し球通路（６３）と賞球通路（６４）とを設け、払い出し手段（３２）からの遊技球を貸し球通路（６３）と賞球通路（６４）とに切り換える切り換え手段（６５）を設け、貸し球通路（６３）に貸し球検出スイッチ（４３）を、賞球通路（６４）に賞球検出スイッチ（４４）を夫々
　【請求項４】　払い出し手段（３２）の下流側に貸し球通路（６３）と賞球通路（６４）とを設け、
貸し球通路（６３）に貸し球検出スイッチ（４３）を、賞球通路（６４）に賞球検出スイッチ（４４）を夫々設け、球貸し時に貸し球通路（６３）へ、賞球時に賞球通路（６４）へ夫々遊技球を払い出すように払い出し手段（３２）を正逆転可能に構成したことを特徴とする請求項１又は２
【発明の詳細な説明】
　　　【０００１】
　　【発明の属する技術分野】
　本発明は、プリペイドカードを使用するカード式弾球遊技機に関するものである。
　　　【０００２】
　　【従来の技術】
　カード式の球貸し装置に接続して使用するカード式弾球遊技機は、遊技球を払い出す払い出し手段と、この払い出し手段を制御する払い出し制御基板とを球貸し用及び賞球払い出し用に兼用している。そして球貸し装置にプリペイドカードを挿入した後に、遊技機本体の上皿カバー等に配置された操作部の貸し出しスイッチを操作した時に、球貸し装置からの球貸し指令により払い出し手段が作動して球貸し指令に応じた個数の遊技球を貸し出し、また遊技盤の入賞手段に遊技球が入賞した時の賞球払い出し指令により払い出し手段が作動して賞球払い出し指令に応じた規定数の賞球を払い出すようになっている。
　　　【０００３】
　また払い出し手段の払い出し通路側に検出スイッチを設け、この検出スイッチのリード線を払い出し制御基板に接続し、払い出し制御基板側で検出スイッチからの信号により貸し球個数、賞球個数を夫々計数して貸し球個数、賞球個数の異常の有無を検出し、貸し球個数、賞球個数が不足する異常があれば、払い出し手段に追加の払い出し動作をさせるようにしている。
　　　【０００４】
　　【発明が解決しようとする課題】
　従来のカード式弾球遊技機では、検出スイッチをリード線を介して払い出し制御基板に接続し、検出スイッチ及び払い出し制御基板を球貸し用と賞球払い出し用とに兼用しているため、検査機関等において検査をする際に、その検出スイッチ及びリード線の接続状態を見ただけでは、それらが何を検出対象にして、何を意図した制御に使用されているものか判断し難いと言う問題がある。
　　　【０００５】
　本発明は、かかる従来の課題に鑑み、球貸し制御機能により貸し出された遊技球を検出する検出スイッチの信号系と、賞球払い出し制御機能により払い出された遊技球を検出する検出スイッチの信号系とを別にして、その信号系の接続状態を見れば、球貸し制御系と賞球払い出し系とを容易に確認し判断できるカード式弾球遊技機を提供することを目的とする。
　　　【０００６】
　　【課題を解決するための手段】
　本発明は、遊技球の払い出しを行う払い出し手段３２と、この払い出し手段３２により払い出された遊技球を検出する検出スイッチ４３，４４と、遊技盤１０側の遊技動作の制御を行う遊技制御機能と、外部の球貸し装置４からの球貸し指令によって払い出し手段３２により遊技球を貸し出す球貸し制御機能と、遊技盤１０での入賞による賞球払い出し指令によって払い出し手段３２により遊技球を払い出す賞球払い出し制御機能とを備え、球貸し制御機能により貸し出された遊技球を検出する検出スイッチ４３の信号系と、賞球払い出し制御機能により払い出された遊技球を検出する検出スイッチ４４の信号系とを別々の制御基板２９，４６に
接続し、貸し球検出スイッチ４３からの信号により貸し球個数を計数して貸し球個数の異常検出を行い、貸し球個数の異常時に払い出し手段３２に追加の払い出し動作をさせる球貸し制御手段５１と、賞球検出スイッチ４４からの信号により賞球個数を計数して賞球個数の異常検出を行い、賞球個数の異常時に払い出し手段３２に追加の払い出し動作をさせる賞球払い出し制御手段５２とを別々に設け
　　　【０００７】
　　【発明の実施の形態】
　以下、本発明の実施例を図面に基づいて詳述する。
　　　【０００８】
　図面は遊技球として遊技球を使用するカード式弾球遊技機に採用した場合を例示する。
　　　【０００９】
　図１はカード式弾球遊技機の前側の斜視図であり、１は遊技機本体で、矩形枠状の外枠２と、この外枠２に開閉自在に枢着された前枠３を備えている。遊技機本体１は、カード式の球貸し装置４と左右に交互に並べて島側に装着されている。
　　　【００１０】
　球貸し装置４は遊技球の貸し出し処理を行うためのもので、プリペイドカードを挿脱自在に挿入するカード挿排日５と、カード挿排口５に挿入されたプリペイドカードに対して情報の読み取り書き込みを行うカード読み取り書き込み手段６と、カード挿排口５にプリペイドカードを挿入したときに点灯するカード挿入表示灯７と、図外のカード挿排用の送り手段とを備えている。
　　　【００１１】
　前枠３はガラス扉８及び前面板９を備え、その裏側に遊技盤１０が配置されている。遊技盤１０は前枠３の裏側の装着枠１１（図２参照）に後方から着脱自在に装着されている。遊技盤１０の前面には、遊技球を案内するガイドレールと、そのガイドレールの内側の遊技領域に配置された普通入賞手段、大入賞手段、その他の各種の遊技部品が設けられている。
　　　【００１２】
　前面板９には、発射用の遊技球を貯留する上皿１２と、この上皿１２を覆う上皿カバー１３とが装着され、その上皿カバー１３に表示手段１４と操作手段１５とが設けられている。なお、表示手段１４と操作手段１５は、遊技者が表示手段１４の表示を見易く、操作手段１５を操作し易い位置に配置すれば良く、上皿カバー１３以外の箇所に設けても良い。
　　　【００１３】
　前枠３の下部には、余剰球を貯留する下皿１６と、遊技盤１０側に遊技球を発射するための発射手段１７用の発射ハンドル１８とが設けられている。
　　　【００１４】
　表示手段１４は、カード読み取り書き込み手段６により読み取られた情報を表示するためのものである。なお、この表示手段１４は、例えば７セグメント式のＬＥＤ等によって構成されており、プリペイドカードの残額を直接数字で表示しても良いし、使用度数を数字で表示しても良く、その表示形態は問わない。
　　　【００１５】
　操作手段１５は、遊技球の貸し出し操作用の球貸しスイッチ１９と、プリペイドカードの返却操作用の返却スイッチ２０とを有する。球貸しスイッチ１９は、カード読み取り書き込み手段６からの情報に基づいて遊技球の球貸し操作を行う球貸し操作用である。返却スイッチ２０は、ゲーム終了時等にプリペイドカードを返却するように球貸し装置４側を操作するプリペイドカードの返却操作用である。なお、球貸しスイッチ１９、返却スイッチ２０は、押しボタンスイッチ、タッチスイッチ、その他の各種スイッチを適宜選択して使用すれば良い。送り手段はプリペイドカードの残額が零になったときに、そのプリペイドカードをカード挿排口５から返却するようになっている。
　　　【００１６】
　図２は弾球遊技機の背面図を示す。図２において、発射手段１７は、打撃槌２１と、この打撃槌２１を駆動する発射モータ２２とを備え、発射ハンドル１８を操作したときに、発射モータ２２が打撃槌２１を駆動して、その打撃槌２１により発射レール上の遊技球を打撃して遊技盤１０側に発射させるようになっている。
　　　【００１７】
　２３は裏機構板で、装着枠１１に上下一対のヒンジ２４により開閉自在に枢着されており、遊技盤１０を裏側から押圧して固定するように閉状態で４個のロックレバー（図示省略）によりロックされている。裏機構板２３には、その中央部に開口部２５が形成され、この開口部２５に遊技盤１０の裏側の裏カバー２６が嵌合されている。
　　　【００１８】
　裏カバー２６は、遊技盤１０に装着された入賞手段等の各遊技部品を裏側から覆うためのもので、裏側の点検窓を塞ぐように第１基板ケース２８が着脱自在に設けられている。第１基板ケース２８内には、その遊技盤１０側のゲーム構成に応じて固有の遊技制御基板２９が収容されている。遊技制御基板２９は、遊技盤１０側における遊技動作の制御を行うための所謂主制御基板で、遊技盤１０側の遊技動作の制御を行う遊技制御機能を持ったＲＯＭ、ＲＡＭ、ＣＰＵ等の電気部品が実装されている。
　　　【００１９】
　裏機構板２３には、開口部２５の上側に遊技球タンク３０と遊技球案内レール３１が、左右方向の一側方に払い出し手段３２が、下側に入賞球タンク３３と通路ユニット３４と第２基板ケース３５が夫々装着されている。
　　　【００２０】
　遊技球タンク３０は島側の球補給装置から補給された遊技球を貯留するためのもので、この遊技球タンク３０から遊技球案内レール３１を経て払い出し手段３２側に遊技球を供給するようになっている。
　　　【００２１】
　払い出し手段３２は、入賞時の賞球の払い出しと、球貸し操作時の遊技球の貸し出しとを行うためのものである。払い出し手段３２は、上下方向に配置された払い出しケース３６と、この払い出しケース３６内に回転軸３７廻りに回転自在に設けられた回転体３８と、この回転体３８を駆動する払い出しモータ３９とを備えている。なお、払い出しモータ３９には、ステッピングモータ等が使用されている。
　　　【００２２】
　払い出しケース３６の内部は左右に２列の払い出し通路４０に区画されている。回転体３８は各払い出し通路４０に対応する外周に周方向に複数個の繰り出し凹部４２が形成され、その繰り出し凹部４２に入った遊技球を回転に伴って順次払い出すようになっている。なお、回転体３８の各払い出し通路４０の繰り出し凹部４２は周方向に半ピッチずれており、各払い出し通路４０で遊技球を交互に払い出すようになっている。
　　　【００２３】
　払い出しケース３６の下部には、回転体３８により払い出された遊技球を検出するように貸し球検出スイッチ４３と賞球検出スイッチ４４とが各払い出し通路４０に対応して上下に設けられている。貸し球検出スイッチ４３、賞球検出スイッチ４４は、スイッチ本体内に通孔を有し、その通孔を通過する遊技球を接触式又は無接触式で検出するようになっている。なお、貸し球検出スイッチ４３、賞球検出スイッチ４４は、何れか一方で他方を兼用するようにしても良い。
　　　【００２４】
　入賞球タンク３３は、入賞手段等に入賞して遊技盤１０の裏側に通過した遊技球を貯留するためのもので、その下部側には入賞球処理手段４５が設けられている。入賞球処理手段４５は、入賞球タンク３３内の入賞球を検出する入賞球検出手段と、この入賞球検出手段が入賞球を検出したときに入賞球タンク３３内の入賞球を１個づつ排出する入賞球排出手段とを備え、また入賞球検出手段は入賞球を検出する毎に賞球払い出し指令を出力するようになっている。
　　　【００２５】
　通路ユニット３４は、払い出し手段３２から払い出された遊技球を上皿１２側に案内し、上皿１２の遊技球が満杯状態のときに、遊技球を分流させて下皿１６側に案内するようになっている。
　　　【００２６】
　第２基板ケース３５には払い出し制御基板４６が収容されている。なお、第２基板ケース３５は、前枠３の裏側に装着しても良い。また裏機構板２３により裏側から覆われる位置であれば、払い出し制御基板４６は第２基板ケース３５に収容せずに設けても良い。
　　　【００２７】
　図５は制御系のブロック図を示す。遊技制御基板２９には、遊技制御手段４７を構成するＲＯＭ、ＲＡＭ、ＣＰＵ等の電気部品が実装されると共に、遊技制御手段４７と外部側とを接続する複数個のコネクタの他にコネクタ４８，４９が実装されている。そして、コネクタ４８には、賞球検出スイッチ４４のリード線５０が着脱自在に接続されている。
　　　【００２８】
　払い出し制御基板４６には、球貸し制御機能を有する球貸し制御手段５１と、賞球払い出し制御機能を有する賞球払い出し制御手段５２と、払い出しモータ３９用のモータ駆動手段５３と、払い出し異常用の異常検出制御手段５４とを構成するＲＯＭ、ＲＡＭ、ＣＰＵ、その他の電気部品が実装されると共に、異常検出制御手段５４と外部側とを接続するコネクタ５５，５７等が実装されている。
　　　【００２９】
　球貸し制御手段５１は、球貸しスイッチ１９を操作した時の球貸し装置４からの球貸し指令に従って払い出し手段３２が遊技球を貸し出すように、この払い出し手段３２を制御する球貸し制御機能を有し、例えば遊技者が球貸しスイッチ１９により１００円分の遊技球を借りたい旨の操作をした時に、払い出し手段３２が２５個の遊技球を払い出すように制御する。なお、球貸し制御手段５１には、球貸し装置４側との間での信号の授受に必要なインターフェースが包含されている。
　　　【００３０】
　賞球払い出し制御手段５２は、遊技盤１０での入賞による賞球払い出し指令に従って払い出し手段３２が遊技球を払い出すように、この払い出し手段３２を制御する賞球払い出し制御機能を有し、入賞球タンク３３の入賞球処理手段４５が入賞球を１個づつ排出する動作に連動して、その入賞球１個につき払い出し手段３２が規定数（例えば１５個）の遊技球を払い出すように制御する。
　　　【００３１】
　モータ駆動手段５３は、球貸し制御手段５１からの球貸し信号、賞球払い出し制御手段５２からの賞球払い出し信号に応じて回転体３８が所定角度回転するように払い出しモータ３９を駆動するためのものである。
　　　【００３２】
　異常検出制御手段５４は、貸し球検出スイッチ４３、賞球検出スイッチ４４からの信号により貸し球個数、賞球個数を含む払い出し個数を計数して払い出し個数の異常の有無を検出し、払い出し個数の異常時に払い出し手段３２に追加の払い出し動作をさせる機能を有する。
　　　【００３３】
　即ち、異常検出制御手段５４は、各スイッチ４３，４４からの信号により貸し球個数、賞球個数を計数する計数部５４ａと、その貸し球個数、賞球個数を球貸し指令、賞球払い出し指令の指令個数と比較して払い出し個数が不足するか否かの異常の有無を検出する比較判定部５４ｂと、比較判定部５４ｂで異常を検出したときに払い出し手段３２に追加指令を与える追加指令部５４ｃとにより構成されている。
　　　【００３４】
　コネクタ５５は払い出し制御基板４６側で異常検出制御手段５４に接続されており、そのコネクタ５５に貸し球検出スイッチ４３のリード線５６が接続されている。コネクタ５７は払い出し制御基板４６側で異常検出制御手段５４に接続されており、このコネクタ５７にリード線５８が接続されている。リード線５８は遊技制御基板２９のコネクタ４９に接続され、またコネクタ４９は遊技制御基板２９側でコネクタ４８に接続されている。従って、賞球検出スイッチ４４の信号系は、遊技制御基板２９を経由して払い出し制御基板４６に接続され、また貸し球検出スイッチ４３の信号系は、直接払い出し制御基板４６に接続されている。
　　　【００３５】
　上記構成において、球貸し装置４のカード挿排口５にプリペイドカードを挿入すると、カード読み取り書き込み手段６がプリペイドカードの残額等の情報を読み取り、その情報が遊技機本体１側の払い出し制御基板４６側に送られ、表示手段１４にプリペイドカードの残額が表示される。
　　　【００３６】
　そして、遊技者が操作手段１５の球貸しスイッチ１９を押圧操作すると、その信号が球貸し装置４のカード読み取り書き込み手段６に送られ、カード読み取り書き込み手段６が残額から球貸し額分を減算した新たな情報をプリペイドカードに書き込むと共に、球貸し装置４側から所定数の遊技球の球貸し指令が払い出し制御基板４６の球貸し制御手段５１に送られる。
　　　【００３７】
　このため球貸し制御手段５１が球貸し装置４側からの貸し出し要求に応じて払い出し手段３２の球貸し制御を行い、モータ駆動手段５３を介して払い出しモータ３９が作動して回転体３８を駆動する。そして、この回転体３８が回転すると、遊技球タンク３０から遊技球案内レール３１を経て供給される遊技球を払い出し、球貸し指令に応じて所定数の遊技球を貸し球として上皿１２側へと貸し出す。
　　　【００３８】
　払い出し手段３２が遊技球を払い出すと、貸し球検出スイッチ４３が払い出しケース３６内の各払い出し通路４０を落下する遊技球を検出して、その検出信号がリード線５６、コネクタ５５を経由して払い出し制御基板４６の異常検出制御手段５４側に送られる。そして、異常検出制御手段５４側で貸し球の個数を順次計数して貸し球個数の異常の有無を検出し、払い出し個数が不足する異常時に払い出し手段３２に追加の払い出し動作をさせる処理を行い、所定数の貸し球を払い出すように払い出しモータ３９を制御する。
　　　【００３９】
　ゲーム中に遊技盤１０の入賞手段に遊技球が入賞すれば、その入賞球は遊技盤１０を通過して入賞球タンク３３に集められる。そして入賞球処理手段４５の入賞球検出手段が入賞遊技球を検出して入賞球排出手段が入賞球タンク３３の入賞球を１個づつ排出すると共に、遊技制御基板２９の遊技制御手段４７から払い出し制御基板４６の賞球払い出し制御手段５２側へと賞球払い出し指令を出力する。このため賞球払い出し制御手段５２が賞球の払い出し制御を行い、払い出し手段３２が前述の球貸しのときと同様に作動して賞球を上皿１２へと払い出す。
　　　【００４０】
　また払い出し手段３２が遊技球を払い出すと、賞球検出スイッチ４４が払い出しケース３６内の各払い出し通路４０を落下する遊技球を検出して、その検出信号がリード線５０、遊技制御基板２９のコネクタ４８，４９、リード線５８を経由して払い出し制御基板４６の異常検出制御手段５４側に送られるので、この異常検出制御手段５４が前述の球貸しのときと同様の制御を行う。
　　　【００４１】
　ゲームを終了する際には、遊技者が返却スイッチ２０を押圧操作すると、球貸し装置４側に返却信号が送られ、カード挿排口５からプリペイドカードが返却される。これと同時に表示手段１４の表示が消える。
　この実施形態では、貸し球検出スイッチ４３と賞球検出スイッチ４４とを別々に設け、その賞球検出スイッチ４４をリード線５０、コネクタ４８を介して遊技制御基板２９に接続し、この遊技制御基板２９を経由してコネクタ４９、リード線５８等を介して払い出し制御基板４６側に接続する一方、貸し球検出スイッチ４３をリード線５６、コネクタ５５を介して払い出し制御基板４６に接続しているため、検査機関等において検査を行う際に、貸し球検出スイッチ４３、賞球検出スイッチ４４の位置、及びリード線５０，５６の接続状態を確認すれば、貸し球検出スイッチ４３、賞球検出スイッチ４４の機能、目的等を容易に確認し判断することが可能であり、容易に検査を行うことができる。
　　　【００４２】
　また球貸し制御手段５１、賞球払い出し制御手段５２、異常検出制御手段５４及びモータ駆動手段５３を１個の払い出し制御基板４６に設けているので、貸し球検出スイッチ４３と賞球検出スイッチ４４とを別に設け、その賞球検出スイッチ４４を遊技制御基板２９を経由して払い出し制御基板４６側に接続する構造であるにも拘わらず、構造が極端に複雑になることもない。
　　　【００４３】
　図６は本発明の第２の実施形態を例示する。この実施形態では、貸し球検出スイッチ４３からの信号により貸し球個数を計数して貸し球個数の異常の有無を検出し、貸し球個数の異常時に払い出し手段３２に追加の払い出し動作をさせる貸し球異常検出制御手段６０と、賞球検出スイッチ４４からの信号により賞球個数を計数して賞球個数の異常の有無を検出し、賞球個数の異常時に払い出し手段３２に追加の払い出し動作をさせる賞球異常検出制御手段６１とが別々に設けられ、その貸し球異常検出制御手段６０が球貸し制御手段５１に、賞球異常検出制御手段６１が賞球払い出し制御手段５２に夫々組み込まれている。
　　　【００４４】
　そして、貸し球異常検出制御手段６０を含む球貸し制御手段５１が球貸し制御基板６２に実装され、賞球異常検出制御手段６１を含む賞球払い出し制御手段５２がモータ駆動手段５３と共に払い出し制御基板４６に実装されている。
　　　【００４５】
　なお、貸し球異常検出制御手段６０を含む球貸し制御手段５１は、遊技制御基板２９側に設けても良い。
　　　【００４６】
　この実施形態の場合には、貸し球検出スイッチ４３、賞球検出スイッチ４４が独立し、その貸し球検出スイッチ４３側のリード線５６が球貸し制御基板６２に、賞球検出スイッチ４４側のリード線５０が遊技制御基板２９に夫々接続されるだけでなく、球貸し制御基板６２と払い出し制御基板４６とが独立しているため、第１の実施形態に比較して更に検査が容易である。
　　　【００４７】
　なお、貸し球異常検出制御手段６０を含む球貸し制御手段５１を、遊技制御基板２９側に設けるならば、球貸し制御基板６２が不要になるので、構造的にも簡単にできる。
　　　【００４８】
　図７及び図８は本発明の第３の実施形態を例示する。この実施形態では、払い出し手段３２の下流側に、貸し球検出スイッチ４３を有する貸し球通路６３と、賞球検出スイッチ４４を有する賞球通路６４とが設けられ、この貸し球通路６３と賞球通路６４との上側に、払い出し手段３２からの遊技球を貸し球通路６３と賞球通路６４とに切り換える切り換え手段６５が設けられている。
　　　【００４９】
　貸し球通路６３と賞球通路６４は、払い出しケース３６の下部側に組み込まれており、その下流側は合流して通路ユニット３４側の通路に接続されている。切り換え手段６５は、支軸６５ａにより回動自在に枢支された切り換え板６６と、この切り換え板６６を駆動するソレノイド（駆動手段）６７と、切り換え板６６が常時貸し球通路６３側を塞ぐように付勢するバネ６８とを備えている。ソレノイド６７は球貸し指令があったときに励磁して、切り換え板６６が賞球通路６４側を塞ぐべく切り換え板６６を賞球通路６４側へと回動させるようになっている。
　　　【００５０】
　なお、貸し球検出スイッチ４３、賞球検出スイッチ４４の接続等を含む制御系の構成は、図５又は図６の何れを採用しても良い。
　　　【００５１】
　この実施形態では、球貸し指令、賞球払い出し指令の何れがあった場合にも、払い出し手段３２が作動して遊技球を払い出す。そして、球貸しの場合には、ソレノイド６７が励磁して切り換え板６６が賞球通路６４側を塞ぐので、払い出し手段３２からの遊技球は貸し球通路６３を経て上皿１２へと案内され、その途中で貸し球検出スイッチ４３が遊技球の通過を検出する。また賞球払い出しの場合には、切り換え板６６が貸し球通路６３を塞いでいるため、払い出し手段３２からの遊技球は賞球通路６４を経て上皿１２へと案内され、その途中で賞球検出スイッチ４４が遊技球の通過を検出する。
　この場合にも、前述と同様に実施でき、容易に検査できる。
　　　【００５２】
　図９は本発明の第４の実施形態を例示する。この実施形態では、払い出し手段３２の下流側に、貸し球検出スイッチ４３を有する貸し球通路６３と、賞球検出スイッチ４４を有する賞球通路６４とが設けられている。払い出し手段３２は、球貸し指令により正転し、賞球払い出し指令により逆転する正逆転式の払い出しモータ３９が使用され、その払い出しモータ３９の駆動により回転体３８が正逆転可能に構成されている。貸し球通路６３と賞球通路６４は下側で合流している。
　なお、貸し球検出スイッチ４３、賞球検出スイッチ４４の接続等を含む制御系の構成は、図５又は図６の何れを採用しても良い。
　　　【００５３】
　この実施形態では、球貸し指令があった場合には、払い出しモータ３９の駆動により回転体３８がａ矢示方向へと正転し、遊技球を貸し球通路６３側に払い出すので、遊技球は貸し球通路６３、通路ユニット３４を経て上皿１２へと案内され、その途中で貸し球検出スイッチ４３が遊技球の通過を検出する。また賞球払い出し指令があった場合には、払い出しモータ３９の駆動により回転体３８がｂ矢示方向へと逆転し、遊技球を賞球通路６４側に払い出すので、払い出し手段３２からの遊技球は賞球通路６４、通路ユニット３４を経て上皿１２へと案内され、その途中で賞球検出スイッチ４４が遊技球の通過を検出する。
　この場合にも、前述と同様に実施でき、容易に検査できる。
　　　【００５４】
　以上、本発明の各実施形態について例示したが、本発明は各実施形態に限定されるものではない。
　　　【００５５】
　例えば、図４の２つの払い出し通路４０の内、その一方を貸し球通路６３とし、他方を賞球通路６４とすると共に、各通路４０に対応して回転体３８を軸方向に２分割し、その各回転体３８の内側に、各回転体３８を球貸し指令と賞球払い出し指令とにより作動する電磁クラッチ等を組み込んで、球貸し指令と賞球払い出し指令とに応じて各電磁クラッチにより各回転体３８を選択的又は択一的に回転軸３７に結合するように構成しても良い。
　　　【００５６】
　また払い出し手段３２は、回転体３８にスクリュウねじ式のものを利用しても良いし、ソレノイド、モータ等の駆動手段で払い出し板を開閉するようにしたものでも良い。
　　　【００５７】
　賞球払い出し制御手段５２は、パチンコ機の場合には入賞手段への遊技球の入賞により払い出し制御を行うが、アレンジボール機の場合には入賞役の成立による入賞得点（入賞）に応じて払い出し制御を行うようにすれば良い。
　　　【００５８】
　　【発明の効果】
　本発明では、遊技球の払い出しを行う払い出し手段３２と、この払い出し手段３２により払い出された遊技球を検出する検出スイッチ４３，４４と、遊技盤１０側の遊技動作の制御を行う遊技制御機能と、外部の球貸し装置４からの球貸し指令によって払い出し手段３２により遊技球を貸し出す球貸し制御機能と、遊技盤１０での入賞による賞球払い出し指令によって払い出し手段３２により遊技球を払い出す賞球払い出し制御機能とを備え、球貸し制御機能により貸し出された遊技球を検出する検出スイッチ４３の信号系と、賞球払い出し制御機能により払い出された遊技球を検出する検出スイッチ４４の信号系とを別々の制御基板２９，４６に接続しているので、各信号系の接続状態を見れば、球貸し制御系と賞球払い出し系とを容易に確認し判断でき、容易に検査できる。
　　　【００５９】
　また球貸し制御機能により貸し出された遊技球を検出する貸し球検出スイッチ４３と、賞球払い出し制御機能により払い出された遊技球を検出する賞球検出スイッチ４４とを別々に設け、貸し球検出スイッチ４３を賞球払い出し制御機能用の払い出し制御基板４６に接続し、賞球検出スイッチ４４を遊技制御機能用の遊技制御基板２９に接続しているので、貸し球検出スイッチ４３と払い出し制御基板４６、及び賞球検出スイッチ４４と遊技制御基板２９との接続状態を見ることによって、球貸し制御系と賞球払い出し系とを容易に確認し判断でき、容易に検査できる。
　　　【００６０】
　しかも貸し球検出スイッチ４３からの信号により貸し球個数を計数して貸し球個数の異常検出を行い、貸し球個数の異常時に払い出し手段３２に追加の払い出し動作をさせる球貸し制御手段５１と、賞球検出スイッチ４４からの信号により賞球個数を計数して賞球個数の異常検出を行い、賞球個数の異常時に払い出し手段３２に追加の払い出し動作をさせる賞球払い出し制御手段５２とを別々に設けているので、球貸し制御手段５１及び賞球制御手段を含めて、その検査を容易にできる。
　　　【００６１】
　更に払い出し手段３２の下流側に貸し球通路６３と賞球通路６４とを設け、払い出し手段３２からの遊技球を貸し球通路６３と賞球通路６４とに切り換える切り換え手段６５を設け、貸し球通路６３に貸し球検出スイッチ４３を、賞球通路６４に賞球検出スイッチ４４を夫々設けているので、貸し球と賞球とが異なる通路６３，６４を通り、その貸し球と賞球とを貸し球検出スイッチ４３と賞球検出スイッチ４４とによって別々に検出できる。
　　　【００６２】
　また払い出し手段３２の下流側に貸し球通路６３と賞球通路６４とを設け、貸し球通路６３に貸し球検出スイッチ４３を、賞球通路６４に賞球検出スイッチ４４を夫々設け、球貸し時に貸し球通路６３へ、賞球時に賞球通路６４へ夫々遊技球を払い出すように払い出し手段３２を正逆転可能に構成しているので、払い出し手段３２を正逆転させることによって貸し球と賞球とが異なる通路６３，６４を通り、その貸し球と賞球とを貸し球検出スイッチ４３と賞球検出スイッチ４４とによって別々に検出できる。
【図面の簡単な説明】
　　【図１】
　本発明の第１の実施例を示すカード式球貸し装置とカード式弾球遊技機の斜視図である。
　　【図２】
　本発明の第１の実施例を示すカード式球貸し装置とカード式弾球遊技機の背面図である。
　　【図３】
　本発明の第１の実施例を示す払い出し手段の側面断面図である。
　　【図４】
　本発明の第１の実施例を示す払い出し手段の背面断面図である。
　　【図５】
　本発明の第１の実施例を示す制御系のブロック図である。
　　【図６】
　本発明の第２の実施例を示す制御系のブロック図である。
　　【図７】
　本発明の第３の実施例を示す払い出し手段の側面断面図である。
　　【図８】
　本発明の第３の実施例を示す払い出し手段の背面断面図である。
　　【図９】
　本発明の第４の実施例を示す払い出し手段の側面断面図である。
　【符号の説明】
　４　　球貸し装置
　１０　遊技盤
　２９　遊技制御基板
　３２　払い出し手段
　４３　貸し球検出スイッチ
　４４　賞球検出スイッチ
　４６　払い出し制御基板
　５１　球貸し制御手段
　５２　賞球払い出し制御手段
　６３　貸し球通路
　６４　賞球通路
　６５　切り換え手段